(57)【要約】【課題】柄部の成形コストを低減する等の要望を満足させることができて、しかも、形態の変化に基づく意外性がもたらすインパクトが強いハサミを簡単な構造によって提供すること。【解決手段】各柄部１２を、これらが閉じられたときに、内部にバネ収納空間１２ａを形成しながら一体物となる線対称形状のものとするとともに、各柄部１２のバネ収納空間１２ａ内に形成したバネ１４のための係止部１２ｂを有したものとして、バネ１４の各端部１４ａを各柄部１２の係止部１２ｂに係止させて、各刃体１１の刃部１１ｂが開放方向に付勢されるようにするとともに、当該バネ１４全体がバネ収納空間１２ａ内に収納されるようにした。【選択図】図４
2017158957.tif 000002
【特許請求の範囲】
【請求項１】
１本の枢軸によって開閉自在に軸支した一対の刃体と、これら各刃体の取付部に取り付けた柄部と、閉じられた前記各刃体の刃部全体を覆うカバーとを備えたハサミであって、
前記各柄部を、これらが閉じられたときに、内部にバネ収納空間を形成しながら一体物となる線対称形状のものとするとともに、前記各柄部のバネ収納空間内に形成したバネのための係止部を有したものとして、
前記バネの各端部を前記各柄部の係止部に係止させて、前記各刃体の刃部が開放方向に付勢されるようにするとともに、当該バネ全体が前記バネ収納空間内に収納されるようにしたことを特徴とするハサミ。
【請求項２】
前記各柄部に鍔形状部を形成して、前記各柄部を閉じて各刃部全体をカバーで覆ったとき、前記鍔形状部の存在によって、全体が鞘に収まった刀形状となるようにしたことを特徴とする請求項１に記載のハサミ。
【発明の詳細な説明】
【技術分野】
【０００１】
本発明は、手で使用するハサミに関し、特に、刃部全体をカバーによって覆うようにしたハサミに関するものである。
【背景技術】
【０００２】
手で使用するハサミは、学童用から、一般成人が実用的に使用するものまで、種々なものが提案されてきているが、見れば「ハサミ」だと直ぐ分かる実用的なものである場合が多く、物品としてみた場合に当たり前すぎる形態であるため、形態の変化に基づく意外性がもたらすインパクトは殆ど無い。
【０００３】
そこで、例えば特許文献１にて提案されているように、「筆記具ケース等にコンパクトに収納しうると共に、持ち運びの際に刃部が開く等の危険性が生じることがなく、且つ複雑な操作をすることなく、簡単に使用形態に復元することが可能な携帯用鋏を提供すること」を目的としてなされた「携帯用鋏」がある。
【先行技術文献】
【特許文献】
【０００４】
【特許文献１】実用新案登録第3161126号掲載公報
【発明の概要】
【発明が解決しようとする課題】
【０００５】
上記特許文献１に記載されたハサミは、図７にも示すように、
「一対の刃部と、上記一対の刃部の後端部に延設された一対の柄部と、上記刃部と上記柄部との間に設けられ、上記一対の刃部を回動可能に軸支する回動軸部と、上記回動軸部に装着され、上記一対の刃部及び柄部を開放方向に付勢する付勢部材と、上記一対の刃部を閉じた状態で、上記刃部を収納しうると共に、上記刃部を閉じた状態に保持しうるカバー部とから形成され、上記カバー部を装着した状態で、全体棒状となることを特徴とする」
ものであり、不使用時にはペン型形状をなしていて、使用時には正に「ハサミ」となって、形態の変化に基づく意外性がもたらすインパクトが強いものとなっている。
【０００６】
しかしながら、この特許文献１の「携帯用鋏」は、図７に示すように、その一対の柄部形状が、これらを閉じた時「ペンのキャップ」の形態を呈するものとするため、また、半円筒状のものを互いに嵌合させて完全筒体とするために、それぞれ別形状となっている。このため、この携帯用鋏の各柄部を製造するためには、別々の型が必要になって、コストが掛かるものではないかと考えられる。
【０００７】
また、この特許文献１の「携帯用鋏」では、図７に示すように、使用時に付勢部材１６が剥き出し状態となるため、切った紙屑や糸屑が挟まり易いものとなっているだけでなく、使用者が幼児であると、この剥き出しなったままの付勢部材１６にイタズラをして外してしまう虞もあるかもしれない。
【０００８】
さらに、この特許文献１の「携帯用鋏」では、使用時に剥き出し状態となる付勢部材１６のねじり部が回動軸部に嵌めてあり、端部が各柄部に差し込まれているだけであるため、「回動軸部」自体に嵌め構造を形成しておかなければならないし、付勢部材１６が外れ易くなっているとも考えられる。
【０００９】
そこで、本発明者等は、この種のハサミについて、
（１）各刃体の取付部にそれぞれ取り付けられる柄部を１種類の型で形成できるようにしうて、コスト低減をすること。
（２）バネは、ハサミの閉じ状態でも、使用状態でも、その全部または殆どが柄部内に収まるようにして、何かが挟まれたり、簡単に外れたりしないようにすること。
（３）枢軸は、バネの係止部に使用しないようにして、従来の簡単なもののままとすること。
とするにはどうしたらよいか、について種々検討を重ねてきた結果、本発明を完成したのである。
【００１０】
すなわち、本発明の目的とするところは、上記（１）〜（３）の要望を全て満足させることができて、しかも、形態の変化に基づく意外性がもたらすインパクトが強いハサミを簡単な構造によって提供することにある。
【課題を解決するための手段】
【００１１】
以上の課題を解決するために、まず、請求項１に係る発明の採った手段は、後述する最良形態の説明中で使用する符号を付して説明すると、
「１本の枢軸１１ｃによって開閉自在に軸支した一対の刃体１１、１１と、これら各刃体１１の取付部１１ａに取り付けた柄部１２と、閉じられた各刃体１１の刃部１１ｂ全体を覆うカバー１３とを備えたハサミ１０であって、
各柄部１２を、これらが閉じられたときに、内部にバネ収納空間１２ａを形成しながら一体物となる線対称形状のものとするとともに、各柄部１２のバネ収納空間１２ａ内に形成したバネ１４のための係止部１２ｂを有したものとして、
バネ１４の各端部１４ａを各柄部１２の係止部１２ｂに係止させて、各刃体１１の刃部１１ｂが開放方向に付勢されるようにするとともに、当該バネ１４全体がバネ収納空間１２ａ内に収納されるようにしたことを特徴とするハサミ１０」
である。
【００１２】
この請求項１に係るハサミ１０は、図１〜図４に示すように、１本の枢軸１１ｃによって開閉自在に軸支した一対の刃体１１、１１と、これら各刃体１１の取付部１１ａに取り付けた柄部１２と、閉じられた各刃体１１の刃部１１ｂ全体を覆うカバー１３とを備えたものである。
【００１３】
直接的に物を切るための各刃体１１は、図２〜図４に示すように、一般的なそれと同様に、枢軸１１ｃによって開閉自在に連結されるものであり、この枢軸１１ｃより前方側が刃部１１ｂであり、枢軸１１ｃの後方側が取付部１１ａとなっている。この取付部１１ａは、次に述べる柄部１２の取付部挿入穴１２ｆ内にそれぞれ嵌合されて、各刃体１１が柄部１２を備えたものとされるものである。
【００１４】
各柄部１２は、図４及び図６に示すように、線対称形状のものとしたものであり、図６の（ｂ）に示すように、互いに対向させて閉じたとき、その内側に後述するバネ１４のためのバネ収納空間１２ａを形成できるようにしたものである。なお、上述したように、これら各柄部１２の先端部側内部には取付部挿入穴１２ｆが形成してあって、この取付部挿入穴１２ｆ内には刃体１１の取付部１１ａが嵌合されて、各刃体１１の後端部に当該柄部１２が一体化されるものである。
【００１５】
また、各柄部１２の内部には、図４にも示すように、係止部１２ｂが一体的に形成してあり、この係止部１２ｂには、後述するバネ１４の各端部１４ａが係止されて、両柄部１２によって形成されるバネ収納空間１２ａ内にバネ１４を完全に包み込んだ状態で収納できるようにしてある。
【００１６】
後述する実施形態で説明するバネ１４は、図４に示すように、中心のねじり部１４ｂから２本の端部１４ａが突出した所謂「つるまきバネ」であり、これら各端部１４ａを、上述したように、各刃体１１の取付部１１ａに取り付けた各柄部１２に形成してある係止部１２ｂに係止することにより、各柄部１２を開放方向に付勢するものである。
【００１７】
以上の結果、この請求項１に係るハサミ１０では、各柄部１２を、これらが閉じられたときに、内部にバネ収納空間１２ａを形成しながら一体物となる線対称形状のものとしたのであるから、
（１）各刃体１１の取付部１１ａにそれぞれ取り付けられる柄部１２を１種類の型で形成できて、コスト低減が図れるものとなっている
のである。
【００１８】
また、この請求項１に係るハサミ１０は、これを構成しているバネ１４全体を、各柄部１２によって形成されるバネ収納空間１２ａ内に収納されるようにしてあるから、
（２）バネ１４は、ハサミ１０の閉じ状態でも、使用状態でも、その全部または殆どが柄部１２内に収まり、当該ハサミ１０の使用時に、刃体１１とバネ１４との間等に何かが挟まれたり、バネ１４が簡単に外れたりしないものとなっている
のである。
【００１９】
そして、この請求項１に係るハサミ１０では、バネ１４の各端部１４ａを各柄部１２の係止部１２ｂに係止させて、各刃体１１の刃部１１ｂが開放方向に付勢されるようにしたのであるから、
（３）枢軸１１ｃは、バネ１４の係止部に使用しないようにして、従来の簡単なもののままとすること
ができるものとなっているのである。
【００２０】
従って、この請求項１に係るハサミ１０は、上記（１）〜（３）の要望を全て満足させることができるものとなっているのである。
【００２１】
上記課題を解決するために、請求項２に係る発明の採った手段は、上記請求項１のハサミ１０について、
「各柄部１２に鍔形状部１２ｃを形成して、各柄部１２を閉じて各刃部１１ｂ全体をカバー１３で覆ったとき、鍔形状部１２ｃの存在によって、全体が鞘に収まった刀形状となるようにしたこと」
である。
【００２２】
すなわち、この請求項２に係るハサミ１０では、各柄部１２について、図１〜図６に示すように、各柄部１２に鍔形状部１２ｃを形成したものである。これにより、図１に示すように、各柄部１２を閉じて各刃部１１ｂ全体をカバー１３で覆ったとき、鍔形状部１２ｃの存在によって、全体が鞘に収まった刀形状となるものである。
【００２３】
従って、この請求項２に係るハサミ１０は、上記請求項１のそれと同様な機能を発揮する他、各刃部１１ｂ全体をカバー１３で覆ったときには、全体が鞘に収まった刀形状となっているが、図５に示すように、カバー１３を外して使用状態にしたときには、「ハサミ」そのものとなるのであるから、特許文献１のそれと同様に、形態の変化に基づく意外性がもたらすインパクトが強いものとなっているのである。
【発明の効果】
【００２４】
以上説明した通り、本発明においては、
「１本の枢軸１１ｃによって開閉自在に軸支した一対の刃体１１、１１と、これら各刃体１１の取付部１１ａに取り付けた柄部１２と、閉じられた各刃体１１の刃部１１ｂ全体を覆うカバー１３とを備えたハサミ１０であって、
各柄部１２を、これらが閉じられたときに、内部にバネ収納空間１２ａを形成しながら一体物となる線対称形状のものとするとともに、各柄部１２のバネ収納空間１２ａ内に形成したバネ１４のための係止部１２ｂを有したものとして、
バネ１４の各端部１４ａを各柄部１２の係止部１２ｂに係止させて、各刃体１１の刃部１１ｂが開放方向に付勢されるようにするとともに、当該バネ１４全体がバネ収納空間１２ａ内に収納されるようにしたこと」
にその構成上の主たる特徴があり、これにより、
（１）各刃体１１の取付部１１ａにそれぞれ取り付けられる柄部１２を１種類の型で形成できて、コスト低減を図ることができる
（２）バネ１４は、ハサミ１０の閉じ状態でも、使用状態でも、その全部または殆どが柄部１２内に収まり、当該ハサミ１０の使用時に、刃体１１とバネ１４との間等に何かが挟まれたり、バネ１４が簡単に外れたりしないものとすることができる
（３）枢軸１１ｃは、バネ１４の係止部に使用しないようにして、従来の簡単なもののままとすることができる
ハサミ１０を簡単な構造によって提供することができるのである。
【図面の簡単な説明】
【００２５】
【図１】本発明に係るハサミ１０のカバー１３によって覆った状態の斜視図である。
【図２】同ハサミ１０を示すもので、（ａ）は正面図、（ｂ）は平面図である。
【図３】同ハサミ１０のカバー１３を外した状態の斜視図である。
【図４】同ハサミ１０の一方の柄部１２を外したときの斜視図である。
【図５】同ハサミ１０の各刃体１１を開放させた時の正面図である。
【図６】同ハサミ１０を構成している各刃体１１の取付部１１ａに取り付けられる柄部１２を示すもので、（ａ）は平面図、（ｂ）は他の柄部１２も併記した正面図、（ｃ）は正面図である。
【図７】特許文献１にて提案されているハサミの正面図である。
【発明を実施するための形態】
【００２６】
次に、以上のように構成した各請求項に係る発明を、図面に示した実施の形態であるハサミ１０について説明すると、このハサミ１０は、図１〜図４に示したように、１本の枢軸１１ｃによって開閉自在に軸支した一対の刃体１１、１１と、これら各刃体１１の取付部１１ａに取り付けた柄部１２と、閉じられた各刃体１１の刃部１１ｂ全体を覆うカバー１３とを備えたものである。
【００２７】
直接的に物を切るための各刃体１１は、図２〜図４に示したように、枢軸１１ｃによって開閉自在に連結されるものであり、この枢軸１１ｃより前方側（ハサミの先の側）が刃部１１ｂであり、枢軸１１ｃの後方側が取付部１１ａとなっている。この取付部１１ａの枢軸１１ｃは、図３〜図５に示したように、両取付部１１ａを軸支するためにだけ使用されるものであり、図７に示した従来技術におけるような、つるまき部を係止するためには使用されないもので、従来一般的に使用されている最も簡単なものである。なお、この実施形態における枢軸１１ｃは、その外端部を飾りカバーによって覆ったものとしてある
【００２８】
また、各取付部１１ａは、図２に示したように、後述する柄部１２の取付部挿入穴１２ｆ内にそれぞれ嵌合されることにより、各刃体１１が後方側に柄部１２を備えたものとするものである。
【００２９】
各柄部１２は、図４及び図６に示したように、当該ハサミ１０の長手方向に沿った中心線に対して線対称形状となるようにしたものであり、図６の（ｂ）に示すように、互いに対向させて完全に合わせたとき、その内側にバネ１４のためのバネ収納空間１２ａを形成するものである。なお、図２にも示したように、これら各柄部１２の先端部側内部には取付部挿入穴１２ｆが形成してあって、この取付部挿入穴１２ｆ内には刃体１１の取付部１１ａが嵌合されて、各刃体１１の後端部に当該柄部１２が一体化されるものである。
【００３０】
また、各柄部１２の内部には、図４にも示したように、係止部１２ｂが一体的に形成してあり、この係止部１２ｂには後述するバネ１４の各端部１４ａが係止される。これにより、両柄部１２が閉じられたときに形成されるバネ収納空間１２ａ内には、バネ１４が完全に包み込まれた状態で収納されるのである。また、両柄部１２が開かれたときにも、当該バネ１４は両柄部１２のバネ収納空間１２ａ内に収納されたままとなるのであり、当該バネ１４に紙屑や糸屑が挟まれることがない状態となる。
【００３１】
これら各柄部１２には、鍔形状部１２ｃ、柄状模様１２ｄ、飾り取付部１２ｅ、取付部挿入穴１２ｆ、カバー嵌合溝１２ｇといった種々な加工が施してある。鍔形状部１２ｃは、各柄部１２を閉じて各刃部１１ｂ全体をカバー１３で覆ったとき、当該ハサミ１０全体を鞘に収まった刀形状となるようにするものであり、閉じられた両柄部１２のそれぞれの上述した線対称位置に形成したものである。柄状模様１２ｄは、その際の「刀形状」をより際立たせるものであり、閉じられて「刀の柄」形状になっている両柄部１２を装飾するものである。なお、取付部挿入穴１２ｆについては、前述した通りである。
【００３２】
また、各柄部１２の鍔形状部１２ｃの後方側と、当該柄部１２の端部には、例えば図４に示したように、飾り取付部１２ｅがそれぞれ形成してあり、これら各飾り取付部１２ｅ内には、図３にも示したように、各柄部１２の別部材として成形された第１飾り１５ａ及び第２飾り１５ｂが嵌合される。これらの第１飾り１５ａ及び第２飾り１５ｂによっても、各柄部１２の装飾性が高められている。
【００３３】
さらに、各柄部１２の鍔形状部１２ｃより前方側には、図３にも示したように、カバー嵌合溝１２ｇが形成してある。このカバー嵌合溝１２ｇは、閉じられた両刃体１１を覆う、後述するカバー１３の係止を行う部分であり、このカバー嵌合溝１２ｇに見合う突起または突部がカバー１３の入り口近傍に形成してある。
【００３４】
カバー１３は、本実施形態に係るものでは、上述した鍔形状部１２ｃや柄状模様１２ｄによる「刀形状」により一層貢献するため、全体的に、「刀の鞘」形状のものとしてある。なお、本実施形態のカバー１３では、図１に示したようなふさ１３ｂを取り付けるためのふさ取付部１３ａが一体的に形成してある。
【００３５】
実施形態では、両柄部１２間に係止されるバネ１４は、図４に示したように、中心のねじり部１４ｂから２本の端部１４ａが突出した所謂「つるまきバネ」であり、これら各端部１４ａを係止部１２ｂに係止することにより、各柄部１２を開放方向に付勢するものである。
【符号の説明】
【００３６】
１０    ハサミ
１１    刃体
１１ａ  取付部
１１ｂ  刃部
１１ｃ  枢軸
１２    柄部
１２ａ  バネ収納空間
１２ｂ  係止部
１２ｃ  鍔形状部
１２ｄ  柄状模様
１２ｅ  飾り取付部
１２ｆ  取付部挿入穴
１２ｇ  カバー嵌合溝
１３    カバー
１３ａ  ふさ取付部
１３ｂ  ふさ
１４    バネ
１４ａ  端部
１４ｂ  ねじり部
１５ａ  第１飾り
１５ｂ  第２飾り
【図１】
2017158957.tif 000003
【図２】
2017158957.tif 000004
【図３】
2017158957.tif 000005
【図４】
2017158957.tif 000006
【図５】
2017158957.tif 000007
【図６】
2017158957.tif 000008
【図７】
2017158957.tif 000009